(57)【要約】【課題】電磁誘導により発熱する発熱体の異常昇温を抑制する。【解決手段】加熱装置は、複数回巻き回された電磁誘導コイルと、前記電磁誘導コイルの軸方向一端側で該電磁誘導コイルに対して外周面が対向する環状のベルトと、前記ベルトを挟んで前記電磁誘導コイルに対向し且つ前記電磁誘導コイルの電磁誘導により発熱し、前記ベルトの周方向に沿って前記ベルトの内周面に接触して前記ベルトを加熱する発熱体と、前記ベルト及び前記発熱体を挟んで前記電磁誘導コイルの空芯部に対向する対向位置において前記発熱体に対して非接触とされ、該対向位置を前記発熱体の周方向に沿って挟んだ両側で前記発熱体の内周面に接触する接触部材と、を備える。【選択図】図４
2015184476.tif 000002
【特許請求の範囲】
【請求項１】
複数回巻き回された電磁誘導コイルと、
前記電磁誘導コイルの軸方向一端側で該電磁誘導コイルに対して外周面が対向する環状のベルトと、
前記ベルトを挟んで前記電磁誘導コイルに対向し且つ前記電磁誘導コイルの電磁誘導により発熱し、前記ベルトの周方向に沿って前記ベルトの内周面に接触して前記ベルトを加熱する発熱体と、
前記ベルト及び前記発熱体を挟んで前記電磁誘導コイルの空芯部に対向する対向位置において前記発熱体に対して非接触とされ、該対向位置を前記発熱体の周方向に沿って挟んだ両側で前記発熱体の内周面に接触する接触部材と、
を備える加熱装置。
【請求項２】
前記接触部材は、
前記対向位置において前記発熱体の内周面から離間し、前記発熱体に対して非接触とされた非接触部と、
前記非接触部に対する前記発熱体の周方向両側で前記非接触部に連結され、前記発熱体の内周面に接触する接触部と、
を有する
請求項１に記載の加熱装置。
【請求項３】
前記接触部材は、前記対向位置において切り欠かれている
請求項１に記載の加熱装置。
【請求項４】
請求項１〜３のいずれか１項に記載の加熱装置と、
前記ベルトとの間で記録媒体を加圧する加圧部材と、
を備え、
前記加圧部材による加圧と前記ベルトによる加熱によって前記記録媒体の画像を定着する定着装置。
【請求項５】
記録媒体に画像を形成する画像形成部と、
前記記録媒体に形成された画像を該記録媒体に定着する請求項４に記載の定着装置と、
を備える画像形成装置。
【発明の詳細な説明】
【技術分野】
【０００１】
本発明は、加熱装置、定着装置及び画像形成装置に関する。
【背景技術】
【０００２】
特許文献１には、磁界を発生する励磁コイルと、磁界の電磁誘導により発熱する発熱層と発熱層の温度を均一にする熱伝導層とを備えた発熱体と、定着ベルトと、加圧ロールと、を備える定着装置が開示されている。
【０００３】
特許文献２には、定着ベルトと、ＩＨヒータと、ＩＨヒータによって電磁誘導加熱されることで定着ベルトに熱を伝導する感温磁性部材と、感温磁性部材の内周面と接触して配設され感温磁性部材にて発生した熱を拡散させる誘導部材と、を備える定着装置が開示されている。
【先行技術文献】
【特許文献】
【０００４】
【特許文献１】特開２００８−１６４７８３号公報
【特許文献２】特開２０１０−２２４０３２号公報
【発明の概要】
【発明が解決しようとする課題】
【０００５】
本発明は、電磁誘導により発熱する発熱体の異常昇温を抑制することを目的とする。
【課題を解決するための手段】
【０００６】
請求項１の発明は、複数回巻き回された電磁誘導コイルと、前記電磁誘導コイルの軸方向一端側で該電磁誘導コイルに対して外周面が対向する環状のベルトと、前記ベルトを挟んで前記電磁誘導コイルに対向し且つ前記電磁誘導コイルの電磁誘導により発熱し、前記ベルトの周方向に沿って前記ベルトの内周面に接触して前記ベルトを加熱する発熱体と、前記ベルト及び前記発熱体を挟んで前記電磁誘導コイルの空芯部に対向する対向位置において前記発熱体に対して非接触とされ、該対向位置を前記発熱体の周方向に沿って挟んだ両側で前記発熱体の内周面に接触する接触部材と、を備える。
【０００７】
請求項２の発明では、前記接触部材は、前記対向位置において前記発熱体の内周面から離間し、前記発熱体に対して非接触とされた非接触部と、前記非接触部に対する前記発熱体の周方向両側で前記非接触部に連結され、前記発熱体の内周面に接触する接触部と、を有する。
【０００８】
請求項３の発明では、前記接触部材は、前記対向位置において切り欠かれている。
【０００９】
請求項４の発明は、請求項１〜３のいずれか１項に記載の加熱装置と、前記ベルトとの間で記録媒体を加圧する加圧部材と、を備え、前記加圧部材による加圧と前記ベルトによる加熱によって前記記録媒体の画像を定着する。
【００１０】
請求項５の発明は、記録媒体に画像を形成する画像形成部と、前記記録媒体に形成された画像を該記録媒体に定着する請求項４に記載の定着装置と、を備える。
【発明の効果】
【００１１】
本発明の請求項１の構成によれば、接触部材の全体が発熱体と接触する場合に比べ、電磁誘導により発熱する発熱体の異常昇温を抑制できる。
【００１２】
本発明の請求項２の構成によれば、接触部を連結する非接触部を有さない場合に比べ、接触部材の全体の剛性を維持したまま、発熱体の異常昇温を抑制できる。
【００１３】
本発明の請求項３の構成によれば、接触部材が切り欠かれていない場合に比べ、接触部材の軽量化を図りつつ、発熱体の異常昇温を抑制できる。
【００１４】
本発明の請求項４の構成によれば、接触部材の全体が発熱体と接触する場合に比べ、発熱体の異常昇温による定着不良を抑制できる。
【００１５】
本発明の請求項５の構成によれば、本構成における定着装置を有さない場合に比べ、定着不良による画像不良を抑制できる。
【図面の簡単な説明】
【００１６】
【図１】本実施形態に係る画像形成装置の構成を示す概略図である。
【図２】本実施形態に係る定着装置の構成を示す側断面図である。
【図３】本実施形態に係る発熱板、接触板及び支持部材の構成を示す斜視図である。
【図４】（Ａ）本実施形態に係る発熱板及び接触板の構成を示す側断面図である。（Ｂ）本実施形態に係る接触板の構成を示す（Ａ）におけるＢ方向矢視図である。
【図５】比較例に係る発熱板及び接触板の構成を示す側断面図である。
【図６】変形例に係る発熱板、接触板及び支持部材の構成を示す斜視図である。
【図７】（Ａ）変形例に係る発熱板、接触板の構成を示す側断面図である。（Ｂ）変形例に係る接触板の構成を示す（Ａ）におけるＢ方向矢視図である。
【発明を実施するための形態】
【００１７】
以下に、本発明に係る実施形態の一例を図面に基づき説明する。
【００１８】
（画像形成装置１０の構成）
まず、画像形成装置１０の構成を説明する。図１は、画像形成装置１０の構成を示す概略図である。
【００１９】
画像形成装置１０は、図１に示されるように、各構成部品が内部に収容される画像形成装置本体１１（筐体）を備えている。画像形成装置本体１１の内部には、用紙等の記録媒体Ｐが収容される複数の収容部１２と、記録媒体Ｐに画像を形成する画像形成部１４と、記録媒体Ｐに形成された画像を記録媒体Ｐに定着する定着装置６０と、が設けられている。画像形成装置本体１１の内部には、さらに、収容部１２から画像形成部１４へ記録媒体Ｐを搬送する搬送部１６と、画像形成装置１０の各部の動作を制御する制御部２０と、が設けられている。また、画像形成装置本体１１の上部には、定着装置６０によって画像が定着された記録媒体Ｐが排出される排出部１８が設けられている。
【００２０】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、を備えている。さらに、画像形成部１４は、各画像形成ユニット２２Ｙ〜２２Ｋで形成されたトナー画像を中間転写ベルト２４に転写する第１転写ロール２６と、第１転写ロール２６によって中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００２１】
画像形成ユニット２２Ｙ〜２２Ｋは、水平方向に対して傾斜した状態で、画像形成装置本体１１の内部に配置されている。また、画像形成ユニット２２Ｙ〜２２Ｋは、一方向（例えば、図１における反時計回り方向）へ回転する感光体３２をそれぞれ有している。なお、各画像形成ユニット２２Ｙ〜２２Ｋは、同様に構成されているので、図１において、画像形成ユニット２２Ｍ、２２Ｃ、２２Ｋにおける各部の符号を省略している。
【００２２】
各感光体３２の周囲には、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、が設けられている。
【００２３】
露光装置３６は、制御部２０から送られた画像信号に基づき静電潜像を形成するようになっている。制御部２０から送られる画像信号としては、例えば、制御部２０が外部装置から取得した画像信号がある。
【００２４】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２５】
中間転写ベルト２４は、環状に形成されると共に、画像形成ユニット２２Ｙ〜２２Ｋの上側に配置されている。中間転写ベルト２４の内周側には、中間転写ベルト２４が巻き掛けられる巻掛ロール４２、４３、４４が設けられている。中間転写ベルト２４は、例えば、巻掛ロール４４が回転駆動することによって、感光体３２と接触しながら一方向（例えば、図１における時計回り方向）へ循環移動（回転）するようになっている。なお、巻掛ロール４２は、第２転写ロール２８に対向する対向ロールとされている。
【００２６】
第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置とされている。
【００２７】
第２転写ロール２８は、中間転写ベルト２４を挟んで巻掛ロール４２に対向している。第２転写ロール２８と巻掛ロール４２との間が、中間転写ベルト２４に転写されたトナー画像が記録媒体Ｐに転写される第２転写位置とされている。
【００２８】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置へ搬送する複数の搬送ロール５０と、を有している。
【００２９】
第２転写位置より搬送方向下流側には、第２転写ロール２８によって記録媒体Ｐに転写されたトナー画像を記録媒体Ｐに定着させる定着装置６０が設けられている。この定着装置６０の搬送方向下流側には、トナー画像が定着された記録媒体Ｐを排出部１８へ向けて搬送する複数の搬送ロール５２が設けられている。なお、定着装置６０の具体的な構成については後述する。
【００３０】
次に、本実施形態に係る画像形成装置１０における、記録媒体Ｐへ画像を形成する画像形成動作について説明する。
【００３１】
本実施形態に係る画像形成装置１０では、収容部１２から送出ロール４６によって送り出された記録媒体Ｐが、複数の搬送ロール５０によって第２転写位置へ送り込まれる。
【００３２】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置にて中間転写ベルト２４に重ねられて、カラー画像が形成される。そして、中間転写ベルト２４に形成されたカラー画像が、第２転写位置にて記録媒体Ｐへ転写される。
【００３３】
トナー画像が転写された記録媒体Ｐは、定着装置６０へ搬送され、転写されたトナー画像が定着装置６０により定着される。トナー画像が定着された記録媒体Ｐは、搬送ロール５２によって排出部１８に排出される。以上のように、一連の画像形成動作が行われる。
【００３４】
（定着装置６０の構成）
次に、本実施形態に係る定着装置６０の構成を説明する。図２は、本実施形態に係る定着装置６０の構成を示す側断面図である。
【００３５】
定着装置６０は、図２に示されるように、加熱ベルト６４（ベルトの一例）と、加圧ロール６６（加圧部材の一例）と、加熱ベルト６４を電磁誘導により加熱する加熱装置７０と、を備えている。定着装置６０では、加熱ベルト６４と加圧ロール６６との間に導入された記録媒体Ｐを加圧ロール６６によって加圧する共に、加熱ベルト６４によって加熱することで、記録媒体Ｐにトナー画像を定着させる。
【００３６】
加熱装置７０は、磁場を発生させる電磁誘導コイル７２と、電磁誘導コイル７２を保持する保持部材７４と、磁性体７６と、を備えている。保持部材７４は、加熱ベルト６４に対する加圧ロール６６側とは反対側（図２における右側）に配置されている。この保持部材７４は、加熱ベルト６４の外周面に沿って略円弧状に形成されている。保持部材７４には、加熱ベルト６４と反対側（図２における右側）に向けて軸部７４Ａが突出している。
【００３７】
この軸部７４Ａには、電磁誘導コイル７２が複数回巻き回されている。これにより、軸部７４Ａが配置された部分に、電磁誘導コイル７２の空芯部７２Ａが形成される。
【００３８】
この電磁誘導コイル７２は、軸部７４Ａに巻き回された状態で保持部材７４に保持されている。保持部材７４に保持された電磁誘導コイル７２の軸方向一端側が、保持部材７４を挟んで加熱ベルト６４の外周面に対向している。
【００３９】
磁性体７６は、保持部材７４に対する加熱ベルト６４とは反対側に（図２における右側）に配置されている。磁性体７６は、保持部材７４の外周面に沿って略円弧状に形成されている。
【００４０】
さらに、加熱装置７０は、電磁誘導コイル７２の電磁誘導により発熱する発熱板８０（発熱体の一例）と、発熱板に接触する接触板８２（接触部材の一例）と、発熱板８０の温度を検知するサーモスタット８４（検知部）と、を有している。この発熱板８０、接触板８２及びサーモスタット８４は、加熱ベルト６４の内周に配置されている。
【００４１】
発熱板８０は、加熱ベルト６４を挟んで電磁誘導コイル７２に対向すると共に、加熱ベルト６４の回転軸方向（図３におけるＣ方向）に沿って長さを有している（図３参照）。また、発熱板８０は、加熱ベルト６４の内周面に沿って円弧状に湾曲されており、加熱ベルト６４の周方向に沿って加熱ベルト６４の内周面に接触している。
【００４２】
そして、発熱板８０は、電磁誘導コイル７２に電流が流れることで発生した磁場による電磁誘導によって発熱する。なお、本実施形態では、この電磁誘導により、加熱ベルト６４自体も発熱する。発熱板８０としては、電磁誘導コイル７２の磁場による電磁誘導によって発熱する共に、キュリー点を有する感温磁性金属（例えば、鉄・ニッケル合金）が用いられる。発熱板８０は、通常は通紙領域においてキュリー温度以下になるように、発熱比率設計及び熱容量設計が行われており、電磁誘導コイル７２が発生する磁場は、発熱板８０を通過しないようになっている。
【００４３】
接触板８２は、発熱板８０と同様に、加熱ベルト６４の回転軸方向（図３及び図４におけるＣ方向）に沿って長さを有している（図３及び図４参照）。この接触板８２は、発熱板８０の内周面に沿って円弧状に湾曲されており、発熱板８０の内周面に接触している。これにより、接触板８２は、発熱板８０の長さ方向（加熱ベルト６４の軸方向）へ熱を移動させて、発熱板８０の長さ方向における温度分布のバラつきを抑制する。すなわち、接触板８２は、発熱板８０の温度分布を均一化する機能を有している。また、接触板８２は、発熱板８０に接触して重ね合わせることで、接触板８２及び発熱板８０の全体として、熱容量を大きくする機能を有する。なお、接触板８２としては、発熱板８０よりも熱伝導性が良好な金属材料が用いられる。具体的には、接触板８２として、例えば、アルミニウム、銅などの金属材料が用いられる。
【００４４】
サーモスタット８４は、接触板８２の切欠部分８３（図３参照）に配置されており、サーモスタット８４のバイメタル８４Ａが、発熱板８０に対向している。サーモスタット８４では、発熱板８０が予め定められた温度まで上昇すると、バイメタル８４Ａが変形して、電磁誘導コイル７２への電流を遮断する。また、発熱板８０の温度がキュリー温度を超えると、磁束が発熱板８０を通過して、直接サーモスタット８４のバイメタル８４Ａに届くようになり、バイメタル８４Ａが直接誘導加熱されてしまい、バイメタル８４Ａが変形し、誘導電磁コイル７２への電流を遮断する。
【００４５】
なお、加熱ベルト６４の内周面には、加圧ロール６６との間で加熱ベルト６４を挟むパッド９０と、このパッド９０、発熱板８０、接触板８２及びサーモスタット８４を支持する支持部材８８と、が設けられている。
【００４６】
ここで、接触板８２は、図４（Ａ）に模式的に示されるように、発熱板８０に対して非接触とされた非接触部８２Ａと、発熱板８０に接触する接触部８２Ｂと、を有している。
【００４７】
非接触部８２Ａは、加熱ベルト６４(図２参照）及び発熱板８０を挟んで電磁誘導コイル７２の空芯部７２Ａに対向する対向位置に配置されている。この非接触部８２Ａは、平面状に形成されており、発熱板８０の内周面８０Ｎから離間している（引っ込んでいる）。なお、非接触部８２Ａは、平面状でなくてもよく、発熱板８０の内周面８０Ｎから離間していればよい。
【００４８】
接触部８２Ｂは、電磁誘導コイル７２の空芯部７２Ａに対向する対向位置を発熱板８０の周方向（加熱ベルト６４の周方向（図４（Ａ）のＡ方向））に沿って挟んだ両側で発熱板８０の内周面に接触している。すなわち、接触部８２Ｂは、加熱ベルト６４及び発熱板８０を挟んで電磁誘導コイル７２のコイル部７２Ｂに対向する対向位置に配置されている。
【００４９】
この接触部８２Ｂは、図３及び図４（Ａ）（Ｂ）に示されるように、非接触部８２Ａに対する発熱板８０の周方向（図４（Ａ）（Ｂ）のＡ方向）の両側で、非接触部８２Ａに連結されている。そして、接触板８２は、非接触部８２Ａと接触部８２Ｂとの境界が屈曲されて構成されている。
【００５０】
なお、発熱板８０は、電磁誘導コイル７２のコイル部７２Ｂに対向するコイル対向部８０Ｂで電磁誘導されて発熱する。一方、電磁誘導コイル７２の空芯部７２Ａに対向する芯対向部８０Ａでは、発熱板８０は、発熱しないか、発熱しても発熱量が、コイル対向部８０Ｂよりも少ない。
【００５１】
従って、接触板８２は、発熱板８０の発熱量が相対的に多いコイル対向部８０Ｂに接触し、発熱板８０の発熱量が相対的に少ない芯対向部８０Ａに対して非接触とされる。
【００５２】
（本実施形態の作用）
次に、本実施形態の作用を説明する。
【００５３】
本実施形態の構成によれば、電磁誘導コイル７２に電流が流れると、電磁誘導により、加熱ベルト６４及び発熱板８０が発熱する。発熱板８０の熱は、加熱ベルト６４に供給され、加熱ベルト６４の温度が、予め定められた温度に維持される。
【００５４】
発熱板８０は、具体的には、電磁誘導コイル７２のコイル部７２Ｂに対向するコイル対向部８０Ｂで電磁誘導されて発熱する。一方、電磁誘導コイル７２の空芯部７２Ａに対向する芯対向部８０Ａでは、発熱板８０は、発熱しないか、発熱しても発熱量が、コイル対向部８０Ｂよりも少ない。
【００５５】
そして、本実施形態では、接触板８２の接触部８２Ｂは、発熱板８０の発熱量が相対的に多いコイル対向部８０Ｂに接触する。一方、接触板８２の非接触部８２Ａは、発熱板８０の発熱量が相対的に少ない芯対向部８０Ａに対して非接触とされる。
【００５６】
ここで、接触板８２の全体が接触する構成（比較例）では、接触板８２の形状誤差があると、図５に示されるように、接触板８２が、発熱板８０の芯対向部８０Ａのみに接触し、コイル対向部８０Ｂに接触しない場合がある。この場合では、発熱板８０が接触板８２によって温度が均一化されずに、発熱板８０が異常昇温してしまうことが考えられる。
【００５７】
また、発熱板８０が昇温してキュリー温度に達すると、発熱板８０は磁性を失い、磁束が発熱板８０を通過してしまう。磁束が発熱板８０を通過することで、サーモスタット８４のバイメタル８４Ａが、直接、電磁誘導加熱されて、サーモスタット８４が作動し電磁誘導コイル７２への電流を遮断することが考えられる。
【００５８】
これに対して、本実施形態では、発熱板８０の芯対向部８０Ａを発熱板８０の周方向（図４（Ａ）のＡ方向）に沿って挟んだ両側で、接触板８２の接触部８２Ｂが発熱板８０のコイル対向部８０Ｂに接触するので、接触板８２に形状誤差があっても、接触板８２の全体が接触する比較例（図５参照）に比べ、発熱板８０のコイル対向部８０Ｂに対する接触不良が抑制される。これにより、接触板８２が発熱板８０の温度分布を均一化する機能を発揮し、発熱板８０の異常昇温が抑制される。
【００５９】
また、接触板８２の一対の接触部８２Ｂは、非接触部８２Ａによって連結されているので、接触板８２は変形しにくい。すなわち、本実施形態では、接触板８２の全体の剛性を維持したまま、発熱板８０の異常昇温が抑制される。
【００６０】
このように、発熱板８０の異常昇温が抑制されるので、発熱板８０の異常昇温による定着不良が抑制される。さらに、本実施形態では、定着不良による画像不良が抑制される。
【００６１】
（接触板８２の変形例）
図６及び図７（Ａ）（Ｂ）には、変形例に係る接触板１８２が示されている。
【００６２】
接触板１８２は、図６及び図７（Ａ）（Ｂ）に示されるように、発熱板８０の芯対向部８０Ａに対向する位置で切り欠かれた切欠部１８２Ａを有している。接触板１８２は、全体として、発熱板８０に沿って円弧状に湾曲している。
【００６３】
接触板１８２は、切欠部１８２Ａを発熱板８０の周方向（図７（Ａ）（Ｂ）のＡ方向）に沿って挟んだ両側に、接触部１８２Ｂを有している。接触部１８２Ｂは、電磁誘導コイル７２の空芯部７２Ａに対向する対向位置を発熱板８０の周方向（図７（Ａ）（Ｂ）のＡ方向）に沿って挟んだ両側で発熱板８０の内周面に接触している。
【００６４】
なお、接触板１８２の幅方向（加熱ベルト６４の回転軸方向に沿った方向（図６及び図７（Ｂ）のＣ方向））両端部では、発熱板８０の周方向（図７（Ｂ）のＡ方向）に沿った全体が、発熱板８０に接触している。
【００６５】
この変形例においても、本実施形態では、発熱板８０の芯対向部８０Ａを発熱板８０の周方向（図７（Ａ）のＡ方向）に沿って挟んだ両側で、接触板８２が発熱板８０に接触するので、接触板８２に形状誤差があっても、接触板８２の全体が接触する比較例（図５参照）に比べ、発熱板８０のコイル対向部８０Ｂに対する接触不良が抑制される。これにより、発熱板８０の異常昇温が抑制される。
【００６６】
接触板１８２では、発熱板８０の芯対向部８０Ａに対向する位置に切欠部１８２Ａが配置されているので、切欠部１８２Ａを有さない場合に比べ、発熱板８０の芯対向部８０Ａに接触板１８２が接触する可能性が低い。また、切欠部１８２Ａを有する分、接触板１８２（加熱装置７０）の軽量化が図れる。すなわち、変形例に構成によれば、接触板１８２（加熱装置７０）の軽量化を図りつつ、発熱板８０の異常昇温が抑制される。
【００６７】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【００６８】
１０   画像形成装置
１４   画像形成部
６０   定着装置
６４   加熱ベルト（ベルトの一例）
６６   加圧ロール（加圧部材の一例）
７０   加熱装置
７２   電磁誘導コイル
８０   発熱板（発熱体の一例）
８２   接触板（接触部材の一例）
８２Ｂ 接触部
８２Ａ 非接触部
【図１】
2015184476.tif 000003
【図２】
2015184476.tif 000004
【図３】
2015184476.tif 000005
【図４】
2015184476.tif 000006
【図５】
2015184476.tif 000007
【図６】
2015184476.tif 000008
【図７】
2015184476.tif 000009